(57)【要約】【課題】  建築物に対して容易に着脱可能であり、汎用性の高い仮設足場を提供する。【解決手段】  下方に支持部材が存在しない柱部材４０の外周部を囲うように設置する仮設足場１０であって、柱部材４０の外周部を囲う断面略コ字状をなし、その両端部において床面上に載置する載置部２１ａを有する足場板２１と、足場板２１の外周部から上方へ向かって立ち上げて設けた複数の支柱２２ａと、隣り合う支柱２２ａ間に掛け渡すように設けた複数の囲い部材２２ｂとにより足場２０を形成する。柱部材４０と足場２０との間であって、柱部材４０の床面側の周囲に掛け渡すように設けた取付部材３０を備える。【選択図】図１
2017193823.tif 000002
【特許請求の範囲】
【請求項１】
下方に支持部材が存在しない領域で柱部材の外周部を囲うように設置する仮設足場であって、
前記柱部材の外周部を囲う断面略コ字状をなし、その両端部において床面上に載置する載置部を有する足場板と、
前記足場板の外周部から上方へ向かって立ち上げて設けた柵部材と、
により形成した足場を備え、
前記柱部材と前記足場との間であって、前記柱部材の床面側の周囲に掛け渡すように設けた取付部材を備えたことを特徴とする仮設足場。
【請求項２】
前記取付部材は、その中間部において連結可能となっており、
前記柱部材と前記足場との間に掛け渡した際に連結することにより、前記柱部材に前記足場を取り付けた状態となり、
前記連結を解除することにより、前記柱部材から前記足場を取り外した状態となる、
ことを特徴とする請求項１に記載の仮設足場。
【請求項３】
前記取付部材は、前記柱部材の太さに応じて長さ調整可能である、
ことを特徴とする請求項１または２に記載の仮設足場。
【発明の詳細な説明】
【技術分野】
【０００１】
本発明は、仮設足場に関するものであり、特に、建築物を構築する際に、柱部材に取り付けて使用するための仮設足場に関するものである。
【背景技術】
【０００２】
建築物を構築する際には、種々の態様の仮設足場を設けて作業を行う。このような仮設足場は、作業者の安全を確保しつつ、作業を容易に行うための装置であり、建築物の構造に合わせて種々の態様のものが提案されている。
【０００３】
仮設足場には、地上部から立ち上げて、建築物の外周部を覆うように設置する構造（例えば、特許文献１）、建築物の外側あるいは縦穴開口に吊り下げる構造（例えば、特許文献２）、各階の床部から建築物の外部へ張り出す構造（例えば、特許文献３）等、種々の態様のものがある。
【先行技術文献】
【特許文献】
【０００４】
【特許文献１】特開２０１３−１２４５４１号公報
【特許文献２】特開２００８−２２６１号公報
【特許文献３】特開２０１０−１５０７５６号公報
【発明の概要】
【発明が解決しようとする課題】
【０００５】
ところで、高層建築物では、足場の重量や強度に制約があるため、下層階から上層階まで連続する足場を用いることは現実的ではない。そこで、適宜な階層に設置することが可能な仮設足場を用いることが好ましい。このため、柱部材の外周面に型枠やパネル等を取り付ける際に、建築物に対して容易に着脱可能であり、汎用性の高い仮設足場の開発が望まれていた。
【０００６】
本発明に係る仮設足場は、上述した事情に鑑み提案されたもので、建築物に対して容易に着脱可能であり、汎用性の高い仮設足場を提供することを目的とする。
【課題を解決するための手段】
【０００７】
本発明に係る仮設足場は、上述した目的を達成するため、以下の特徴点を有している。すなわち、本発明に係る仮設足場は、下方に支持部材が存在しない領域で柱部材の外周部を囲うように設置する仮設足場である。この仮設足場は、足場と取付部材とからなる。足場は、柱部材の外周部を囲う断面略コ字状であって、その両端部において床面上に載置する載置部を有する足場板と、足場板の外側周部から上方へ向かって立ち上げて設けた柵部材とを備えている。取付部材は、柱部材と足場との間であって、柱部材の床面側の周囲に掛け渡すように設けてある。
【０００８】
上述した構成からなる仮設足場において、取付部材は、その中間部において連結可能となっている。そして、柱部材と足場との間に掛け渡した際に連結することにより、柱部材に足場を取り付けた状態となり、連結を解除することにより、柱部材から足場を取り外した状態となる。
【０００９】
上述した構成からなる仮設足場において、取付部材は、柱部材の太さに応じて長さ調整可能であることが好ましい。
【発明の効果】
【００１０】
本発明に係る仮設足場によれば、下方に支持部材が存在しない柱部材の外周部で作業を行う際に、取り付け部材を用いて、柱部材に足場を取り付けることができるため、建築物に対して容易に着脱可能であり、汎用性の高い仮設足場とすることができる。また、構造が単純であるため、容易に製作することができるとともに、軽量化を図ることができる。
【００１１】
また、中間部において連結可能な取付部材とすることにより、仮設足場の設置及び移設が容易となる。さらに、柱部材の太さに応じて長さ調整可能な取付部材とすることにより、汎用性を高めることができる。
【図面の簡単な説明】
【００１２】
【図１】本発明の実施形態に係る仮設足場の平面図。
【図２】本発明の実施形態に係る仮設足場の側面図。
【図３】本発明の実施形態に係る仮設足場の背面図。
【図４】本発明の実施形態に係る仮設足場の着脱を示す説明図。
【発明を実施するための形態】
【００１３】
以下、図面を参照して、本発明の実施形態に係る仮設足場を説明する。図１〜図４は本発明の実施形態に係る仮設足場を説明するもので、図１は仮設足場の平面図、図２は仮設足場の側面図、図３は仮設足場の背面図、図４は仮設足場の着脱を示す説明図である。
【００１４】
＜仮設足場の概要＞
本発明の実施形態に係る仮設足場は、下方に支持部材が存在しない柱部材の外周部で作業を行う際に使用するための足場であり、例えば、建築物の外周開口部に設置した柱部材の外周部であって、外周開口部よりも外側において柱部材の外周面に型枠やパネル等を取り付ける作業を行うために使用する。
【００１５】
この仮設足場１０は、図１〜図４に示すように、主要な構成部材として、足場２０と取付部材３０とを備えており、足場２０は、足場板２１と柵部材２２とにより構成する。ここで、足場板２１の数は特に制限されないが、建築物の一階層が作業者の背丈よりも高いことから、床面と同一の高さに１枚、作業者の背丈よりも高い部分に１枚設置する。また、柵部材２２は、例えば、複数の支柱２２ａと、隣り合う支柱２２ａの間に掛け渡す囲い部材２２ｂとからなり、足場２０の高さに合わせて、その高さを設定する。
【００１６】
＜足場板＞
足場板２１は足場２０の基本構成となる部材であり、図１〜図４に示すように、柱部材４０の外周部を囲う断面略コ字状であって、その両端部において床部材５０の上面に載置する載置部２１ａを有している。足場板２１の幅は、例えば、作業者一人が通行できるとともに、作業を行うことができる程度であればよい。図１に示す足場２０では、上下に二段の足場板２１を備えている。この足場板２１は、一般的な足場２０に使用するものと同様に、例えば、アルミニウム製で、水抜き及び滑り止めのための複数の小孔を備えていることが好ましい。
【００１７】
＜柵部材＞
柵部材２２は、設置した際に空中に位置する足場板２１の外周部から上方へ向かって立ち上げて設けた部材であり、作業者の落下を防止するためのものである。この柵部材２２は、例えば図２及び図３に示すように、複数の支柱２２ａと、隣り合う支柱２２ａの間に掛け渡す囲い部材２２ｂとからなる。なお、柵部材２２の形状は図２に示すものに限られず、作業者の落下を防止することができれば、網状等、どのような形状であってもよい。
【００１８】
＜取付部材＞
取付部材３０は、柱部材４０と足場２０との間であって、柱部材４０の床面側の周囲に掛け渡すように設けることにより、柱部材４０に対して足場２０を固定するための部材である。この取付部材３０は、図２及び図３に示すように、上下に２箇所設けられており、それぞれ複数に分割した棒状の鋼材３１と、隣り合う棒状の鋼材３１を連結するとともに、取付部材３０の長さを調整するためのターンバックル３２とを備えている。なお、取付部材３０は図１に示すものに限られず、柱部材４０に対して足場２０を固定するとともに、長さ調整を行うことができれば、どのような部材を用いてもよく、例えば、チェーンや長さ調整可能な継手を組み合わせたものであってもよい。また、取付部材３０を設ける箇所は２箇所に限られず、１箇所または３箇所以上であってもよい。
【００１９】
柱部材４０に対して取付部材３０を取り付けるには、連結された鋼材３１のいずれか１箇所の連結を解除し、取付部材３０で柱部材４０を取り囲んだ後に解除した連結部を再び連結する。そして、ターンバックル３２を回転させて取付部材３０の長さを調整することにより、柱部材４０に対して足場２０を強固に固定することができる。
【００２０】
＜仮設足場の設置＞
図１〜図４を参照して、本発明の実施形態に係る仮設足場１０を設置する手順を説明する。まず初めに、クレーン等を用いて、仮設足場１０を設置する柱部材４０の空中側に足場板２１と柵部材２２とからなる足場２０を位置させる。次いで、仮設足場１０を設置する階層の床部材５０の上面に、下側の足場板２１の載置部２１ａを載置する。
【００２１】
次いで、連結が解除されている取付部材３０を柱部材４０に掛け渡して、取付部材３０を連結する。次いで、ターンバックル３２等の長さ調整部材により取付部材３０の長さを調整して、柱部材４０に対して足場２０を強固に固定する。この際、柱部材４０の損傷を防止するため、柱部材４０と取付部材３０との間に緩衝材を挟むことが好ましい。
【００２２】
仮設足場１０を取り外すには、クレーン等を用いて足場２０を吊り下げ、取付部材３０の連結を解除する。そして、次に仮設足場１０を設置する位置に仮設足場１０を移動させて、上述した手順で柱部材４０に仮設足場１０を固定する。
【符号の説明】
【００２３】
１０  仮設足場
２０  足場
２１  足場板
２１ａ  載置部
２２  柵部材
２２ａ  支柱
２２ｂ  囲い部材
３０  取付部材
３１  鋼材
３２  ターンバックル
４０  柱部材
５０  床部材
【図１】
2017193823.tif 000003
【図２】
2017193823.tif 000004
【図３】
2017193823.tif 000005
【図４】
2017193823.tif 000006